(57)【要約】【課題】袖部の袖口や脚部の裾口を絞ることで生じる膨らみをなくすことにより、着用時のごわごわした感じをなくすとともに、手先や足元の細かな作業を手際よく行うことが可能な衣服を提供する。【解決手段】上衣１の袖部１２の袖口１５やズボン３の脚部３２の裾口３３に、当該袖口１５や裾口３３を人体に密着させるための絞り手段１６，３７を設けた衣服であって、上衣１の袖部１２の袖口１５と肘部２１の間の部分やズボン３の脚部３２の裾口３３と膝部３４の間の部分に、この部分を人体に密着させるための補助絞り手段２２，４１を設けた。【選択図】      図１
2007023416.tif 000002
【特許請求の範囲】
【請求項１】
袖口に当該袖口を人体に密着させるための袖口絞り手段を設けた袖部を備えた衣服において、
袖部の袖口と肘部の間の部分に、この部分を人体に密着させるための補助絞り手段を設けたことを特徴とする衣服。
【請求項２】
前記補助絞り手段は、袖部の袖口と肘部の間の部分の外周面に一端を固着して前記部分に巻付け可能に取付けられた補助絞りフラップと、この補助絞りフラップを袖部の袖口と肘部の間の部分の外周面に巻付けて着脱自在に止着させる止着手段とを備えている請求項１に記載の衣服。
【請求項３】
袖部の袖口と肘部の間の部分の外周面に被止着部材を設け、かつ、補助絞りフラップに被止着部材と着脱自在に止着する止着部材を設け、前記被止着部材及び前記止着部材で前記止着手段を構成している請求項２に記載の衣服。
【請求項４】
裾口に当該裾口を人体に密着させるための裾口絞り手段を設けた脚部を備えた衣服において、
脚部の裾口と膝部の間の部分に、この部分を人体に密着させるための補助絞り手段を設けたことを特徴とする衣服。
【請求項５】
前記補助絞り手段は、脚部の裾口と膝部の間の部分の外周面に一端を固着して前記部分に巻付け可能に取付けられた補助絞りフラップと、この補助絞りフラップを脚部の裾口と膝部の間の部分の外周面に巻付けて着脱自在に止着させる止着手段とを備えている請求項４に記載の衣服。
【請求項６】
脚部の裾口と膝部の間の部分の外周面に被止着部材を設け、かつ、補助絞りフラップに被止着部材と着脱自在に止着する止着部材を設け、前記被止着部材及び前記止着部材で前記止着手段を構成している請求項５に記載の衣服。
【発明の詳細な説明】
【技術分野】
【０００１】
本発明は、雨天時に例えば釣りを行う場合等に着用されるレインスーツ等の上衣とズボンとからなる衣服に関するものである。
【背景技術】
【０００２】
雨天時に釣りを行う場合、ジャケット（上衣）とズボンとからなるレインスーツを着用することがある。ジャケットは上半身に着用するものであり、ズボンは下半身に着用するものである。
【０００３】
雨天時にレインスーツを着用して釣りを行う場合、ジャケットの袖口及びズボンの裾口から雨水等が浸入してレインスーツの内部が濡れることがある。
【０００４】
そこで、レインスーツには、着用した後にジャケットの袖口及びズボンの裾口を手首及び足首に密着するように絞ることができるようにしたものがある。このタイプのレインスーツでは、ジャケットの袖口及びズボンの裾口を絞って袖口及び裾口を手首及び足首に密着させることにより、レインスーツの内部にジャケットの袖口及びズボンの裾口から雨水等が浸入することを防止することができる。このようにジャケットの袖口及びズボンの裾口を手首及び足首に密着するように絞ることができるレインスーツとして、従来、図６に示すものがある。図６は前記ジャケットにおける袖部の袖口から肘部までを示す斜視図である。
【０００５】
前記ジャケットは、両袖部（図面では一方の袖部５１のみを示す）の先端部（袖口５２）の外周面に袖口５２を調整自在に絞ることができる絞り手段５３を設けている。この絞り手段５３は、袖口５２の外周面に被止着部材（例えば、微小ループ郡を有する雌型面ファスナー）５４を取付け、この被止着部材５４の一端部５４ａから一方側に離れた個所に絞りフラップ５５の一端部が取付けられている。そして、絞りフラップ５５の裏面には被止着部材５４に着脱可能に止着する止着部材（例えば、硬質の微小鉤突起郡を有する雄型面ファスナー）５６が取付けられており、絞りフラップ５５を袖口５２の外周面に巻付けると、止着部材５６が被止着部材５４に止着して絞りフラップ５５が袖口５２の外周面に止着されるようになっている。そして、絞りフラップ５５を止着部材５６を被止着部材５４に対する止着位置を、被止着部材５４の一端部５４ａ側から他端部５４ｂ側へ変更するように巻付けることにより、袖口５２を細く絞って手首に密着することができるようなっている。
【発明の開示】
【発明が解決しようとする課題】
【０００６】
従来のジャケットは、絞り手段５３を用いて袖部５１の先端部の袖口５２を絞って手首に密着させることより、袖口５２から雨水等が浸入するのを防止することができるというものである。しかしながら、絞り手段５３を用いて袖口５２を絞ることで、図７に示すように、袖口５２以外の袖部５１の袖口５２から肘部５７にかけた部分が袋状に膨らんだ状態となり、その膨らんだ部分がごわごわした感じで着心地が良くない上、見映えも良くなかった。しかも、例えば釣り具の仕掛け作りや釣り針に餌を付ける等の手先の細かな作業を行う際に、膨らんだ部分が視界や動作の邪魔になり、手先の細かな作業を手際よく行うことができない虞がある。尚、以上はレインスーツのジャケットの問題点について説明したが、レインスーツのズボンについても脚部の裾口においてジャケットと同様の問題点が生じる。
【０００７】
本発明は、従来の前記問題点に鑑みてなされたものであり、袖部の袖口や脚部の裾口を絞ることで生じる膨らみをなくすことにより、着用時のごわごわした感じをなくすとともに、手先や足元の細かな作業を手際よく行うことが可能な衣服を提供することを目的とする。
【課題を解決するための手段】
【０００８】
上記目的を達成するため、本発明の衣服は、袖口に当該袖口を人体に密着させるための袖口絞り手段を設けた袖部を備えた衣服において、袖部の袖口と肘部の間の部分に、この部分を人体に密着させるための補助絞り手段を設けたことを特徴とする。
【０００９】
前記構成の衣服によれば、絞り手段により袖部の袖口を人体に密着するように絞ることができるとともに、補助絞り手段により袖部の袖口と肘部の間の部分を人体に密着するように絞ることができる。これにより、絞り手段により袖部の袖口を絞った際に生じる袖部の袖口から肘部にかけての膨らみを押え付けてなくすることができる。
【００１０】
また、前記補助絞り手段は、袖口と肘部の間の部分の外周面に一端を固着して前記部分に巻付け可能に取付けられた補助絞りフラップと、この補助絞りフラップを袖口と肘部の間の部分の周囲に巻付けて着脱自在に止着させる止着手段とを備えることで、補助絞りフラップを袖部の袖口と肘部の間の部分の周囲に巻付けて止着手段により止着させることができるため、絞り手段により袖部の袖口を絞った際に生じる膨らみを補助絞りフラップで人体に密着するように絞ることができる。
【００１１】
また、袖部の袖口と肘部の間の部分の外周面に被止着部材を設け、かつ、補助絞りフラップに被止着部材と着脱自在に止着する止着部材を設け、前記被止着部材及び前記止着部材で前記止着手段を構成することで、止着部材を被止着部材に止着すると、補助絞りフラップを袖部の袖口と肘部の間の部分の周囲に巻付けて止着させることができるため、絞り手段により袖部の袖口を絞った際に生じる膨らみを補助絞りフラップで押え付けて絞った状態で保持することができる。
【００１２】
また、本発明の衣服は、裾口に当該裾口を人体に密着させるための裾口絞り手段を設けた脚部を備えた衣服において、脚部の裾口と膝部の間の部分に、この部分を人体に密着させるための補助絞り手段を設けたことを特徴とする。
【００１３】
前記構成の衣服によれば、絞り手段により脚部の裾口を人体に密着するように絞ることができるとともに、補助絞り手段により脚部の裾口と膝部の間の部分を人体に密着するように絞ることができる。これにより、絞り手段により脚部の裾口を絞った際に生じる脚部の裾口から膝部にかけての膨らみを押え付けてなくすることができる。
【００１４】
また、前記補助絞り手段は、脚部の裾口と膝部の間の部分の外周面に一端を固着して前記部分に巻付け可能に取付けられた補助絞りフラップと、この補助絞りフラップを脚部の裾口と膝部の間の部分の周囲に巻付けて着脱自在に止着させる止着手段とを備えることで、補助絞りフラップを脚部の裾口と膝部の間の部分の周囲に巻付けて止着手段により止着させることができるため、絞り手段により脚部の裾口を絞った際に生じる膨らみを補助絞りフラップで人体に密着するように絞ることができる。
【００１５】
また、脚部の裾口と膝部の間の部分の外周面に被止着部材を設け、かつ、補助絞りフラップに被止着部材と着脱自在に止着する止着部材を設け、前記被止着部材及び前記止着部材で前記止着手段を構成することで、止着部材を被止着部材に止着すると、補助絞りフラップを脚部の裾口と膝部の間の部分の周囲に巻付けて止着させることができるため、絞り手段により脚部の裾口を絞った際に生じる膨らみを補助絞りフラップで押え付けて絞った状態で保持することができる。
【発明の効果】
【００１６】
本発明の衣服によれば、袖部の袖口や脚部の裾口の絞り時に生じる袖部の袖口と肘部の間の部分や脚部の裾口と膝部の間の部分の膨らみをなくすことができるので、着用時にごわごわした感じをなくすることができるとともに、外観的にもスッキリしたイメージを与えることができ、かつ、袖部の袖口と肘部の間の部分や脚部の裾口と膝部の間の部分が視界や動作の邪魔にならなくて手先や足元の細かな作業を手際よく行うことができる等の効果が得られる。
【発明を実施するための最良の形態】
【００１７】
以下、本発明の実施の形態について図面を参照して説明する。図１は本発明の実施の形態に係るレインスーツを示す正面図である。図２はレインスーツのジャケットにおける袖部の袖口から肘部までを示す詳細図である。図３はジャケットにおける袖部の袖口を絞った状態を示す斜視図である。図４はレインスーツのズボンにおける脚部の裾口から膝部までを示す詳細図である。図５はズボンにおける脚部の裾口を絞った状態を示す斜視図である。
【００１８】
本実施の形態のレインスーツＡは、上半身に着用するジャケット（上衣）１と、下半身に着用するズボン３とから構成されている。
【００１９】
先ず、ジャケット１について説明する。ジャケット１は、防水性に優れた生地により構成され、胸部から腹部を被うジャケット本体１１の上端両側に腕を被う左右の袖部１２を夫々縫付けるとともに、ジャケット本体１１の上端部に開口された首周り開口１１ａに頭部を被うフード１３を縫付けている。
【００２０】
ジャケット本体１１は、前開きになっており、この前開き部にスライドファスナー１４を設け、このスライドファスナー１４により前開き部を開閉自在に構成している。
【００２１】
袖部１２は、筒状に形成され、基端（図中上端）がジャケット本体１１に縫付けられ、先端（図中下端）に袖口１５を有する。袖部１２の袖口１５には、袖口１５の周長を調整自在に絞ることができる袖口絞り手段１６が設けられている。
【００２２】
袖口絞り手段１６は、袖口１５の外周面に被止着部材（例えば、微小ループ部を有する雌型面ファスナー）１７を取付け、この被止着部材１７の一端部１７ａから袖部１２の周方向一方側に所定距離だけ離れた位置に袖口絞りフラップ１８の一端を固着して当該袖口絞りフラップ１８が袖口１５の周囲に巻付き可能に取付けられている。そして、袖口絞りフラップ１８の裏面（袖口１５の外周面と接する面）には被止着部材１７に着脱自在に止着する止着部材（例えば、硬質の微小鉤突起部を有する雄型面ファスナー）１９が取付けられている。
【００２３】
被止着部材１７は、比較的長尺な帯状のもので、袖口１５の外周面に袖部１２の基端側に向けて若干傾斜した状態で周方向に延びるように縫付けられている。袖口絞りフラップ１８は、比較的短尺な帯状のもので、一端（固着端）の幅を広く、他端（自由端）の幅を狭くした略台形形状に形成され、一端が袖口１５の外側横方向に位置する切換し箇所Ｈに縫付けられている。止着部材１９は、比較的短尺のもので、袖口絞りフラップ１８の裏面に縫付けられている。そして、被止着部材１７と止着部材１９により袖口絞りフラップ１８を袖口１５の外周面に巻付けた状態で止着させる止着手段２０を構成している。
【００２４】
袖口絞り手段１６は、袖口絞りフラップ１８を袖口１５における袖部１２の下側部分の周囲に巻付けると、止着部材１９が被止着部材１７に止着して袖口絞りフラップ１８が袖口１５の外周面に止着されるようになっている。この袖口絞り手段１６は、通常は、袖口絞りフラップ１８が止着部材１９を被止着部材１７の一端部１７ａ側に止着して袖口１５の外周面に止着されている。そして、袖口絞り手段１６は、袖口絞りフラップ１８を止着部材１９の被止着部材１７に対する止着位置を、被止着部材１７の一端部１７ａ側から他端部１７ｂ側へ変更するように巻付けることにより、袖口１５を手首に密着するように絞ることができる。
【００２５】
袖口絞り手段１６から袖部１２の基端側に所定の距離だけ離れた位置には、袖部１２の袖口１５と肘部２１の間の部分を絞る上衣補助絞り手段２２が設けられている。この上衣補助絞り手段２２は、袖部１２の袖口１５と肘部２１の間の部分の外周面に補助絞りフラップ２３の一端を固着して当該補助絞りフラップ２３を袖口１５と肘部２１の間の部分の周囲に巻付き可能に取付けている。この補助絞りフラップ２３の裏面には、例えば雄型面ファスナーからなる止着部材２４が取付けられている。また、補助絞りフラップ２３から袖部１２の周方向一方側に所定距離だけ離れた位置には、例えば雌型面ファスナーからなる第１の被止着部材２５が取付けられている。この第１の被止着部材２５から袖部１２の周方向一方側に所定の距離だけ離れた位置には、例えば雌型面ファスナーからなる第２の被止着部材２６が取付けられている。
【００２６】
補助絞りフラップ２３は、比較的短尺な帯状のもので、一端（固着端）の幅を広く、他端（自由端）の幅を狭くした略台形形状に形成され、一端が袖部１２の袖口１５と肘部２１の間の部分における袖部１２の外側横方向に位置する切換し箇所Ｈに縫付けられている。止着部材２４は、比較的短尺なもので、補助絞りフラップ２３の裏面に縫付けられている。第１の被止着部材２５は、比較的短尺なもので、袖部１２の袖口１５と肘部２１の間の部分における外周面に縫付けられている。第２の被止着部材２６は、比較的長尺な帯状のもので、第１の被止着部材２５から袖部１２の周方向一方側に所定の距離だけ離れた位置に袖部１２の基端側に向けて若干傾斜した状態で周方向に延びるように縫付けられている。そして、止着部材２４と第１の被止着部材２５及び第２の被止着部材２６で補助絞りフラップ２３を袖部１２の袖口１５と肘部２１の間の部分の外周面に巻付けた状態で止着させる止着手段２７を構成している。
【００２７】
上衣補助絞り手段２２は、補助絞りフラップ２３を袖部１２の袖口１５と肘部２１の間の部分における袖部１２の下側部分の周囲に巻付けると、止着部材２４が第１の被止着部材２５又は第２の被止着部材２６に止着して補助絞りフラップ２３が袖部１２の袖口１５と肘部２１の間の部分の外周面に止着されるようになっている。この上衣補助絞り手段２２は、通常は、補助絞りフラップ２３が止着部材２４を第１の被止着部材２５に止着して袖部１２の袖口１５と肘部２１の間の部分の外周面に止着されている。そして、上衣補助絞り手段２２は、補助絞りフラップ２３を止着部材２４の止着対象を第１の被止着部材２５から第２の被止着部材２６へ変更するように巻付けることにより、袖部１２の袖口１５と肘部２１の間の部分を腕に密着するように絞ることができる。これにより、袖口絞り手段１６により袖部１２の袖口１５を絞った際に生じる袖部１２の袖口１５から肘部２１にかけての膨らみを押え付けることができる。
【００２８】
前記ジャケット１においては、袖部１２の袖口１５に設けられた袖口絞り手段１６から袖部１２の基端側に所定の距離だけ離れた位置に、袖部１２の袖口１５と肘部２１の間の部分を絞る上衣補助絞り手段２２を設けている。これにより、袖部１２の袖口１５を袖口絞り手段１６により手首に密着するように絞ることができるとともに、袖部１２の袖口１５と肘部２１の間の部分おいても上衣補助絞り手段２２により腕に密着するように絞ることができる。この結果、袖部１２の袖口１５の絞った際に生じる袖部１２の袖口１５と肘部２１の間の膨らみが、上衣絞り手段２２により押え付けられてなくなる。従って、着用時にごわごわした感じをなくすることができるとともに、外観的にもスッキリしたイメージを与えることができ、かつ、袖口と肘部の間の部分が視界や動作の邪魔にはならなくて手先の細かな作業を手際よく行うことができる。因みに、袖口絞り手段１６の袖口絞りフラップ１８及び上衣補助絞り手段２２の補助絞りフラップ２３の一端が袖部１２の外側横方向に位置する切換し箇所Ｈに固着されているから、袖口絞りフラップ１８及び補助絞りフラップ２３により袖部１２の袖口１５及び袖口１５と肘部２１の間の部分を手首及び腕に密着するように絞った際に、絞りによる袖部１２の袖口１５及び袖口１５と肘部２１の間の部分の皺が下向きにできることとなり、袖部１２の袖口１５及び袖口１５と肘部２１の間の部分の皺に雨水等が溜まり難くなるという利点がある。
【００２９】
次に、ズボン３について説明する。ズボン３は、ジャケット１と同様に防水性に優れた生地により構成され、腰を被う腰部３１の下端に脚を被う左右の脚部３２を夫々縫付けている。
【００３０】
腰部３１は、前面が前開きになっており、この前開き部にはスライドファスナー（図示せず）が設けられ、スライドファスナーにより前開き部が開閉自在に構成されている。
【００３１】
脚部３２は、筒状に形成され、基端（図中上端）が腰部３１に縫付けられ、先端（図中下端）に裾口３３を有する。脚部３２には裾口３３から膝部３４にかけて切開部３５が設けられ、この切開部３５にスライドファスナー３６を設け、このスライドファスナー３６により切開部３５が開閉可能に構成されている。
【００３２】
脚部３２の裾口３３には、裾口３３の周長を調整自在に絞る裾口絞り手段３７が設けられている。この裾口絞り手段３７は、脚部３２の裾口３３と膝部３４の間の部分の外周面に絞りフラップ３８の一端を固着して当該絞りフラップ３８を裾口３３と膝部３４の間の部分の周囲に巻付け可能に取付けている。この絞りフラップ３８の裏面下端部には、例えば雄型面ファスナーからなる止着部材３９が取付けられている。また、絞りフラップ３８の一端から脚部３２の周方向一方側に切開部３５及びスライドファスナー３６を挟んで所定の距離だけ離れた位置には、例えば雌型面ファスナーからなる被止着部材４０が取付けられている。
【００３３】
絞りフラップ３８は、切開部３５及びスライドファスナー３６を覆うように縦長の略三角形状に形成され、脚部３２の裾口３３と膝部３４の間の部分の外周面に縫付けられている。止着部材３９は、比較的短尺なもので、絞りフラップ３８の裏面下端部に縫付けられている。被止着部材４０は、比較的長尺な帯状のもので、裾口３３の外周面に基端側に向けて若干傾斜した状態で脚部３２の周方向に延びるように縫付けられている。
【００３４】
裾口絞り手段３７は、絞りフラップ３８を脚部３２の裾口３３と膝部３４の間の部分の周囲に巻付けると、止着部材３９が被止着部材４０に止着して絞りフラップ３８が脚部３２の裾口３３と膝部３４の間の部分の外周面に止着されるようになっている。この裾口絞り手段３７は、通常は、絞りフラップ３８が止着部材３９を被止着部材４０の一端部４０ａ側に止着して裾口３３と膝部３４の間の部分の外周面に止着されている。そして、絞りフラップ３８を止着部材３９の被止着部材４０に対する止着位置を、被止着部材４０の一端部４０ａ側から他端部４０ｂ側に変更するように巻付けることにより、裾口３３を足首に密着するように絞ることができる。
【００３５】
裾口絞り手段３７から脚部３２の基端側に所定の距離だけ離れた位置には、脚部３２の裾口３３と膝部３４の間の部分を絞るズボン補助絞り手段４１が設けられている。このズボン補助絞り手段４１は、絞りフラップ３８の裏面中間部に例えば雄型面ファスナーからなる止着部材４２を取付けている。また、絞りフラップ３８の一端から脚部３２の周方向一方側に切開部３５及びスライドファスナー３６を挟んで所定の距離だけ離れた位置には、例えば雌型面ファスナーからなる被止着部材４３が取付けられている。
【００３６】
止着部材４２は、比較的短尺なもので、絞りフラップ３８の裏面中間部に縫付けられている。止着部材４２は、裾口絞り手段３７の止着部材３９から脚部３２の基端側に所定の距離だけ離れた位置に、裾口絞り手段３７の止着部材３９と上下二段に配置されている。被止着部材４３は、比較的長尺な帯状のもので、脚部３２の裾口３３と膝部３４の間の部分の外周面に縫付けられている。被止着部材４３は、裾口絞り手段３７の被止着部材４０から脚部３２の基端側に所定の距離だけ離れた位置に、裾口絞り手段３７の被止着部材４０と略平行に基端側に向けて若干傾斜した状態で周方向に延びるように配置されている。そして、裾口絞り手段３７の止着部材３９及びズボン補助絞り手段４１の止着部材４２と裾口絞り手段３７の被止着部材４０及びズボン補助絞り手段４１の被止着部材４３により絞りフラップ３８を脚部３２の裾口３３と膝部３４の間の部分の外周面に巻付けた状態で止着させる止着手段を構成している。
【００３７】
ズボン補助絞り手段４１は、絞りフラップ３８を脚部３２の裾口３３と膝部３４の間の部分の周囲に巻付けると、止着部材４２が被止着部材４３に止着されるようになっている。このズボン補助絞り手段４１は、通常は、絞りフラップ３８が止着部材４２を被止着部材４３の一端部４３ａ側に止着して脚部３２の裾口３３と膝部３４の間の部分の外周面に止着されている。そして、ズボン補助絞り手段４１は、絞りフラップ３８を止着部材４２の被止着部材４３に対する止着位置を、被止着部材４３の一端部４３ａから他端部４３ｂに変更するように巻付けることにより、脚部３２の裾口３３と膝部３４の間の部分を脚下に密着するように絞ることができる。これにより、裾口絞り手段３７により脚部３２の裾口３３を絞った際に生じる脚部３２の裾口３３から膝部３４にかけての膨らみを押え付けることができる。
【００３８】
前記ズボン３においては、脚部３２の裾口３３に設けられた裾口絞り手段３７から脚部３２の基端側に所定の距離だけ離れた位置に、脚部３２の裾口３３と膝部３４の間の部分を絞るズボン補助絞り手段４１を設けている。これにより、脚部３２の裾口３３を裾口絞り手段３７により足首に密着するように絞ることができるとともに、脚部３２の裾口３３と膝部３４の間の部分もズボン補助絞り手段４１により脚下に密着するように絞ることができる。この結果、脚部３２の裾口３３の絞った際に生じる脚部３２の裾口３３と膝部３４の間の膨らみが、ズボン補助絞り手段４１により押えつけられてなくなる。従って、着用時にごわごわした感じをなくすることができるとともに、外観的にもスッキリしたイメージを与えることができ、かつ、裾口と膝部の間の部分が視界や動作の邪魔にはならなくて足元の細かな作業を手際よく行うことができる。
【００３９】
尚、前記実施形態においては、上衣（ジャケット１）とズボン３が別体の衣服（レインスーツＡ）について説明したが、本発明は、上衣とズボンが一体に連結して構成されている衣服についても適用することができる。
【００４０】
また、前記実施形態においては、上衣（ジャケット１）とズボン３からなる衣服（レインスーツＡ）について説明したが、本発明は、上衣とズボンのいずれか一方でもよい。
【００４１】
また、前記実施形態においては、レインスーツＡについて説明したが、本発明は、レインスーツ以外の衣服、例えばクリーンルーム内で作業者が着用する無塵服等についても適用することができる。
【００４２】
また、前記実施形態においては、止着部材１９，２４，３９，４２として雄型面ファスナーを、被止着部材１７，２５，２６，４０，４３として雌型面ファスナーをそれぞれ示したが、止着部材１９，２４，３９，４２、被止着部材１７，２５，２６，４０，４３は面ファスナー以外の互いに着脱可能な他の係着部材、被係着部材であってもよい。
【００４３】
また、前記実施形態においては、ジャケット１の袖口絞り手段１６及び上衣補助絞り手段２２は、袖口絞りフラップ１８及び補助絞りフラップ２３を袖部１２の下側部分に巻付けるようにしているが、袖口絞りフラップ１８及び補助絞りフラップ２３を袖部１２の上側部分又は下側部分及び上側部分に巻付けるようにしてもよい。
【００４４】
また、前記実施形態においては、袖口絞り手段１６、上衣補助絞り手段２２、裾口絞り手段３７及びズボン補助絞り手段４１は、袖口絞りフラップ１８、補助絞りフラップ２３及び絞りフラップ３８を袖部１２及び脚部３２に巻付けることにより絞るようにしているが、フラップ以外に例えば袖部１２及び脚部３２に絞り紐を挿通し、この絞り紐により絞るようにしてもよい。
【００４５】
また、前記実施形態においては、ジャケット１のジャケット本体１１にフード１３が一体に取付けられているが、フード１３はジャケット本体１１に着脱自在に取付けてもよいし、フード１３を取付けなくてもよい。
【００４６】
また、前記実施形態においては、ズボン３の脚部３２の裾口３３から膝部３４にかけて切開部３５を設けた場合を説明しているが、ズボン３の脚部３２の裾口３３から膝部３４にかけて切開部３５を設けない場合であってもよい。尚、前記実施形態においては、絞りフラップ３７を裾口絞り手段３７とズボン補助絞り手段４１で共用しているが、前述のようにズボン３の脚部３２の裾口３３から膝部３４にかけて切開部３５を設けない場合には、裾口絞り手段３７とズボン補助絞り手段４１に別々に絞りフラップを設けるようにしてもよい。
【図面の簡単な説明】
【００４７】
【図１】本発明の実施の形態に係るレインスーツの正面図である。
【図２】ジャケットにおける袖部の袖口から肘部までを示す詳細図で、（ａ）はフラップを止着していない状態の正面図、（ｂ）はフラップを止着してない状態の背面図、フラップを止着した状態の背面図である。
【図３】ジャケットにおける袖部の袖口を絞った状態を示す斜視図である。
【図４】ズボンにおける脚部の裾口から膝部までを示す正面図で、（ａ）はフラップを止着していない状態を示し、（ｂ）はフラップを止着した状態を示す。
【図５】ズボンにおける脚部の裾口を絞った状態を示す斜視図である。
【図６】従来のレインスーツのジャケットにおける袖部の袖口から肘部までを示す斜視図である。
【図７】従来のレインスーツのジャケットにおける袖部の袖口を絞った状態を示す斜視図である。
【符号の説明】
【００４８】
Ａ…レインスーツ、１…ジャケット（上衣）、３…ズボン、１２…袖部、１５…袖口、１６…袖口絞り手段、１７…被止着部材、１８…袖口絞りフラップ、１９…止着部材、２０…止着手段、２１…肘部、２２…上衣補助絞り手段、２３…補助絞りフラップ、２４…止着部材、２５…第１の被止着部材、２６…第２の被止着部材、３２…脚部、３３…裾口、３４…膝部、３７…裾口絞り手段、３８…絞りフラップ、３９…止着部材、４０…被止着部材、４１…ズボン補助絞り手段、４２…止着部材、４３…被止着部材、Ｈ…切換し箇所
【図１】
2007023416.tif 000003
【図２】
2007023416.tif 000004
【図３】
2007023416.tif 000005
【図４】
2007023416.tif 000006
【図５】
2007023416.tif 000007
【図６】
2007023416.tif 000008
【図７】
2007023416.tif 000009